(57)【要約】【課題】  共通の電源線上に複数の灯火を配置し、任意の灯火を選別点灯する。【解決手段】  灯火の点滅用スイッチとその駆動に与る電子回路は、それぞれの灯火に近接して設ける。電子回路の電源線も灯火のものと一であり、電子回路が電力の供給操作の相違を識別して、灯火を選別点灯する。電力の供給には電流型と電圧型があり、灯火の選別点灯に用いる場合はそれぞれ適切なケースがある。汎用な方法は電圧型であり、代表例としての供給操作は、電源をオン、オフするチョッパ周波数を選ぶ事である。電子回路は選ばれた周波数に対応した灯火を点灯し、且つ灯火の照度はチョッパ周波数のデューティレシオにより制御する。【選択図】図２
2010257919.tif 000002
【特許請求の範囲】
【請求項１】
消費電力の異なる二種の灯火又は灯火群（以下、灯火）とそれ等の点滅に与る電子回路の、全てを共通の電源線上に配置して、電流の供給操作により、二種の灯火の何れかを選別点灯する方法。
【請求項２】
複数の灯火とそれ等の点滅に与る電子回路の、全てを共通の電源線上に配置して、電圧の供給操作により、灯火を選別点灯し、且つその照度も変え得る灯火の選別点灯制御法。
【発明の詳細な説明】
【技術分野】
【０００１】  本発明は、車両等の灯火類の点滅に関するものであり、具体的には、一つの電源線に複数の灯火を配置し、電力供給操作により灯火を選別点灯する方法に関するものである。
【背景技術】
【０００２】  従来、複数の灯火の個別点灯に際してはそれぞれ個別の電源線を電源から引いている。【０００３】  電源より灯火毎に個別の電源線を引かない方法としては、▲１▼信号線法（例えば、特許文献１参照）や▲２▼ＰＬＣ法（例えば、特許文献２参照）が考えられている。【０００４】
【特許文献１】  実開平０７−３０９０号公報（信号線の併設）
【０００５】
【特許文献２】  特開２００５−１４８５６（電源線に信号を重畳して送り、選別点灯する）
【発明の開示】
【発明が解決しようとする課題】
【０００６】  従来、複数の灯火の個別点灯に対してはそれぞれ個別の電源線を電源から引いている。この方法では、灯火の数が多い程、また灯火が電源から離れていればいる程、電源線の数も重量も増える。【０００７】  また車両等の所有者が別の灯火を設けたくても、その個別点灯の為に新たに電源線を引く事は困難な場合が多く、別の灯火の設置を阻んでいる。【０００８】  先に記した、▲１▼信号線法や▲２▼ＰＬＣ法は一本の電源線で済み、二つ以上の灯火をそれぞれ個別に点灯出来るが、信号線法は信号線の付加を伴い、電源線に信号を重畳するＰＬＣ法は雑音を受け易く、信頼性が乏しい。即ち、信号線法は簡便性に欠け、ＰＬＣ法は、信頼性確保の為には送受信のプロトコル上の配慮が必要であり、送受信機が高価になる。【０００９】  本発明は、これ等の欠点をなくす為になされたものである。
【課題を解決するための手段】
【００１０】  一つの電源線上に複数の灯火を配置し、灯火の点滅用スイッチとその駆動に与る電子回路は、それぞれの灯火に近接して設ける。電子回路の電源線も灯火のものと一であり、電子回路が供給電力操作の相違を識別して、灯火を選別点灯する。課題解決の最良の手段は、灯火の組み合わせ条件によって異なるので、条件付きの解決手段と汎用な解決手段の二つについてそれぞれ記す。【００１１】  一つは、消費電力の異なる二種の灯火の場合の選別点灯であり、選別の仕方は電流の供給量の相違を電子回路が識別して行う。もう一つは、如何なる灯火が配置されていても、任意の灯火の選別点灯であり、その選別の仕方は、電圧の供給操作の相違を電子回路が識別して行い、照度の変更は電圧の供給操作時に電力を変更して行う。
【発明の効果】
【００１２】  一つの電源線に二種の灯火を配置し、何れかの灯火を選別点灯出来る。（請求項１）【００１３】  複数の灯火を二つの灯火群に分けて、何れかの灯火群を選別点灯する場合でも、灯火群としての電流比にしかるべき相違があれば、全ての灯火を一つの電源線上に配置し、供給電流の違いにより、灯火群の選別点灯が出来る。又、既設の灯火の配線上に消費電力の異なる灯火を新たに設けて、何れかの灯火を選別点灯する事も容易に出来る。（請求項１）【００１４】  電圧の供給操作により、個々の灯火を選別点灯する事は勿論、任意の組み合わせの灯火を点灯する事も出来る。（請求項２）【００１５】  電圧の供給操作時に、電力を調整して照度を調整する事も出来る。（請求項２）【００１６】  電源線に電力が供給されているか否かの判別は１００％確かであり、電力供給操作の相違の判別も同様に確かである。即ち、情報伝達上のプロトコルの必要が全くない。
【発明を実施する為の最良の形態】
【００１７】  図１は、消費電力が異なる二つの灯火（１２ａ，１２ｂ）の何れかを選別点灯する場合の配線基本構成図である。それぞれの灯火の点滅用スイッチであるトランジスタ（１３ａ，１３ｂ）の駆動に与る電子回路（１４）は、一つのＲＳフリップフロップ（ＦＦ、以下同）と比較回路からなる。ＦＦの一方の出力端が、適切なインピーダンス等を介して、トランジスタ（１３ａ）のベースに繋がり、ＦＦの他方の出力端は、同様な配慮を経て、トランジスタ（１３ｂ）のベースに繋がる。
【００１８】  選別点灯する方法は、下記の仮定を例にとり説明する。
電源は１２Ｖ（電源変動の問題については後述）
灯火（１２ａ）の（点灯電流，抵抗）＝（１．５Ａ，  ８Ω）
灯火（１２ｂ）の（点灯電流，抵抗）＝（１．０Ａ，１２Ω）
電子回路の電流は無視出来る程に小さく、無視する
【００１９】  電源投入時のＦＦの初期設定は、灯火（１２ａ）が点灯する様にする。比較回路の敷居値は８．５Ｖに設定し、灯火電圧がその敷居値を下回る時にパルスが発生する。操作部（１５）の電力供給接点は二つあり、一方の接点は電源電圧をそのまゝ灯火に通し、他方の接点は、灯火（１２ｂ）の点灯電流にほゞ合わせて、約１．０Ａの定電流ダイオード（１６）を介して灯火に通す。この設定の下で、電源電圧がそのまゝ灯火に掛けられた場合は、灯火（１２ａ）が点灯するが、１．０Ａの定電流ダイオード（１６）を介して電力供給した場合は、次に記す過渡現象を経て、灯火（１２ｂ）が点灯する。
【００２０】  先ず、灯火（１２ａ）に電流が流れるが、灯火（１２ａ）の抵抗は８Ωであるから、灯火電圧は８Ｖに向かい、比較回路の敷居値８．５Ｖを下回ろうとする。その時比較回路がパルスを発生し、そのパルスをもってＦＦを反転させる。尚、比較回路からのＦＦへのパルス入力は、灯火（１２ｂ）が点灯する方向のみに設定する。ＦＦの反転により、灯火（１２ａ）が消えて灯火（１２ｂ）が点灯する。その時の灯火電圧は、灯火（１２ｂ）の抵抗１２Ωに１Ａの電流が流れるから、１２Ｖになる。即ち、何れの灯火が点灯しても、灯火には、ほゞ電源電圧が供給される事になる。この様にして、消費電力の異なる二種の灯火を、供給電流の相違により、選別点灯する。（請求項１）
【００２１】  電源変動は、その下限が９Ｖであれば上記同様の現象を経て選別点灯でき、この場合何れの灯火が点灯しても、灯火電圧はほゞ９Ｖとなる（電源変動の上限には問題がない）。この例から分かる様に、選別点灯できる二つの灯火（１２ａ，１２ｂ）の電流比は、電源のマイナス変動巾が小さい程、１に近ずける事が出来る。一方、電流比が１．５を越え、灯火電圧への要求が緩ければ、定電流ダイオードの代わりに、抵抗の使用でもよい。
【００２２】  図２は、灯火の電気特性の違いを問わず、任意の灯火を選別点灯する配線基本構成図である。灯火（２２ａ，２２ｂ，・・・，２２ｎ）の点滅に対応したスイッチとして、トランジスタ（２３ａ，２３ｂ，・・・，２３ｎ）を設け、それ等のトランジスタの駆動に与る電子回路（２４）は、灯火が近接して設けられていれば、一つでよい。電子回路（２４）は、計数回路とその論理和回路からなり、論理和に応じたそれぞれの出力端子を設けておく。操作部（２５）は、周波数（Ｈａ，Ｈｂ，・・・，Ｈｎ）を選ぶスイッチ（２６ａ，２６ｂ，・・・，２６ｎ）を有し、選ばれたチョッパ周波数で灯火に電力供給する。
【００２３】  電子回路（２４）は、チョッパ電圧を整流した回路（図省略）により常時その動作電圧を保ち、チョッパ周波数をカウントし、論理和回路を通して、チョッパ周波数（Ｈａ，Ｈｂ，・・・，Ｈｎ）に対応したトランジスタ（２３ａ，２３ｂ，・・・，２３ｎ）をオンにする。即ち、供給電圧の操作として、チョッパ周波数を用いその周波数を選ぶ事で、灯火を選別点灯する。（請求項２）
【００２４】  照度の制御が不要であれば、チョッパ周波数のデューティーレシオは通常１に近く設定する。照度を減じたい灯火があれば、その灯火の点灯に対応したチョッパ周波数のデューティレシオを小さくして対応する（図省略）。（請求項２）
【００２５】  図１と図２に於いて、いずれの灯火も離れて設けられている場合は、個々の灯火に近接してそれぞれの電子回路を設ける。
【実施例】
【００２６】  発明を実施する為の最良の形態の、変形実施例について説明する。
［実施例１］【００２７】  図１の配線基本構成図は、二つの灯火を並列配線にしてあるが、直列配線にしても、全く同じ原理、手順で選別点灯出来る。この場合、灯火の点滅用スイッチであるトランジスタは、二つの灯火に並列して設け、上側の灯火が点灯する時は下側のトランジスタがオンになって下側の灯火をバイパスし、下側の灯火が点灯する時は上側のトランジスタがオンになって上側の灯火をバイパスする。
［実施例２］【００２８】  電圧供給操作としてのチョッパ周波数は常時発振でなく、例えば、１秒毎に０．１秒だけチョッパ周波数を発振させ、０．９秒は電源電圧を掛ける事でもよい（チョッパ周波数は発振中の周波数）。チョッパ周波数のデューティーレシオは０．１程度にしておくのがよく、この方法で灯火の照度を変えたい場合は、チョッパ周波数の発振期間を増大する事で対応する。
［実施例３］【００２９】  電源のオン、オフは、周波数でなくコード化したものでもよい。例えば、１秒毎に０．１秒だけコードを送り、０．９秒は電源電圧を掛ける。電子回路（２４）は、電源のオン、オフのコードを読みとり、コードに対応した灯火を点灯する。この場合の灯火の照度の制御は、後述の実施例４に準じた方法がよい。
［実施例４］【００３０】  電圧の供給操作として、操作部にノッチング継電器を設けても同じ様に選別点灯できる。この場合、電位差が大きく異なる二つの電源を用い、灯火に、二つの電源から交互に電力供給する。スライド接点がノッチを跨いで二つの電源に接した時、高電源から低電源に電流が流れない様に、低電源からの電力供給にはダイオードを介しておく。スライド接点は、最初に高電源に接し、最終を高電源とする。高電源に接する回数を、電子回路（２４）がカウントし、そのカウント数が点灯する灯火の選別となる。【００３１】  ノッチング継電器を用いて選別点灯する場合の、照度の制御は次の通りである。照度の変更を要する灯火に対しては、複数のカウント数、並びにそれぞれのカウント数でオンになるトランジスタスイッチを割り当てる。割り当てられたトランジスタスイッチのコレクタ側には、灯火に流れる電流を減ずる為の抵抗を、それぞれに付加する。それ等の抵抗はそれぞれ異なるので、オンになるトランジスタスイッチにより、灯火の照度が変わる。即ち、意図した照度に減じたい場合は、その照度に対応したトランジスタスイッチがオンになるカウント数を選ぶ。【００３２】  実施例４の低電源は、高電源を用いてのトランジスタによる定電圧電源にするのがよく、その電圧は、灯火の点滅に与る電子回路が動作する最小レベルの電圧がよい。尚、選別点灯する全ての灯火が同じであれば、低電源の代わりに高電源から抵抗を介する事で、灯火に掛かる電圧を低電圧にするのがよい。即ち、ノッチ前の接点で高電源から直接供給、ノッチ後の接点で抵抗を介した供給とし、それの繰り返しで、最終は高電源から直接供給とする。
【産業上の利用可能性】
【００３３】  この発明は、電動機器の選別作動にも利用出来る。例えば、人型ロボットは１０を越えるモーターが使われるが、それ等のモーターを共通の電源線に配置し、任意のモーターあるいは任意の組み合わせのモーターを駆動する事にも利用出来る。【００３４】  重量軽減が強く望まれる製造物に、航空機や義手等がある。それ等の電気配線に、本発明を利用する事はとりわけ有意義である。航空機は多くの灯火や電動機器を使うが、それ等の電源線には、共通に出来る組み合わせもあり、それ等の電源線を共通にして、重量軽減を図る事が出来る。義手も、手首や指の関節動作の為に多くのモーターを使うが、それ等の電源線を共通にして重量軽減を図る事が出来る。
【図面の簡単な説明】
【００３５】
【図１】  請求項１を実施する為の最良の配線基本構成図である。
【図２】  請求項２を実施する為の最良の配線基本構成図である。
【符号の説明】
【００３６】  １１  電源線
１２ａ，１２ｂ  灯火
１３ａ，１３ｂ  トランジスタスイッチ
１４  電子回路
１５  操作部
１６  低電流ダイオード
２１  電源線
２２ａ，２２ｂ，・・・，２２ｎ  灯火
２３ａ，２３ｂ，・・・，２３ｎ  トランジスタスイッチ
２４  電子回路
２５  操作部
２６ａ，２６ｂ，・・・，２６ｎ  スイッチ
２７  チョッパ発振器
【図１】
2010257919.tif 000003
【図２】
2010257919.tif 000004